(57)【要約】【課題】緑化対策に伴い景観性に優れ、かつ組立て性に優れた断面台形の法枠を構築することができる法面用型枠および法面工法を提供すること。【解決手段】一対の帯網５０、５０間に所要の間隔をあけてスペーサー６０を連結した法面用型枠２０であって、スペーサー６０は、少なくとも帯網５０、５０の上部間に回転自在に連結した上部横材６１と、帯網５０の下部間に持設するスライド空間６２１をもって回転かつスライド自在に連結した下部横材６２とを具備し、前記帯網５０にスペーサー６０のスライド空間６２１を介して下部横材６１を前記スライド空間６２１に沿ったスライドと回転とを許容して連結し、帯網５０をスライド空間６２１の対向内側にスライドさせて折畳み自在であって、かつ、帯網５０をスライド空間６２１の対向外側に位置させて一対の帯網５０、５０をハの字形に展開可能に構成したことを特徴とするものである。【選択図】　　　　図１
2004137815.tif 000002
【特許請求の範囲】
【請求項１】
一対の帯網間に所要の間隔をあけてスペーサーを連結した法面用型枠であって、
スペーサーは、少なくとも帯網の上部間に回転自在に連結した上部横材と、
帯網の下部間に持設するスライド空間をもって回転かつスライド自在に連結した下部横材とを具備し、
前記帯網にスペーサーのスライド空間を介して下部横材を前記スライド空間に沿ったスライドと回転とを許容して連結し、
帯網をスライド空間の対向内側にスライドさせて折畳み自在であって、かつ、帯網をスライド空間の対向外側に位置させて一対の帯網をハの字形に展開可能に構成したことを特徴とする、
法面用型枠。
【請求項２】
請求項１において、対峙する帯網の一方の目合いを、固結材を透過可能としたことを特徴とする、法面用型枠。
【請求項３】
法面用型枠を展開して法面に配置し、前記法面用型枠内に配筋および固結材の吹付けを行って法面を構築する法面工法において、
請求項２の法面用型枠を使用し、
断面ハの字形に展開した型枠を設置し、
前記型枠に固結材を吹付けて断面台形の法枠を構築することを特徴とする、
法面工法。
【請求項４】
請求項３において、請求項２に記載した法面用型枠の粗面側を上方にして型枠を設置し、
型枠の粗面側から固結材を吹付けることを特徴とする、
法面工法。
【発明の詳細な説明】
【０００１】
【発明の属する技術分野】
本発明は、斜面の安全性を向上させるための法面保護工法に使用される、法面用型枠および法面工法に関するものである。
【０００２】
【従来の技術】
従来から斜面の安全性を向上させる法面保護工法として、法面上に格子状の法枠を形成する方法がある。
通常、このような法枠は、たとえば平行な一対の帯網間にスペーサーを連結して形成する型枠内に、鉄筋を配し、コンクリートなどの固結材を吹付けて、断面矩形に構築している。
【０００３】
【発明が解決しようとする課題】
前記した従来の法面用型枠および法面工法にあっては、次のような問題点がある。
＜イ＞緑化対策を講じた場合に法枠がむきだし状態となり、景観を損ねるものであった。
＜ロ＞法枠断面が矩形であるため、水平方向に構築した横梁の底部に雨水が貯まり、排水性が悪い。
【０００４】
【発明の目的】
本発明は上記したような従来の問題を解決するためになされたもので、緑化対策を講じた場合に法枠の露出が少なく、景観を損ね難い法面用型枠を提供することを目的とする。
また、格子枠内に雨水が貯まり難い断面形状の法枠を構築する、法面用型枠を提供することを目的とする。
本発明は、これらの目的の少なくとも一つを達成するものである。
【０００５】
【課題を解決するための手段】
上記のような目的を達成するために、本発明の法面用型枠は、一対の帯網間に所要の間隔をあけてスペーサーを連結した法面用型枠であって、スペーサーは、少なくとも帯網の上部間に回転自在に連結した上部横材と、帯網の下部間に持設するスライド空間をもって回転かつスライド自在に連結した下部横材とを具備し、前記帯網にスペーサーのスライド空間を介して下部横材を前記スライド空間に沿ったスライドと回転とを許容して連結し、帯網をスライド空間の対向内側にスライドさせて折畳み自在であって、かつ、帯網をスライド空間の対向外側に位置させて一対の帯網をハの字形に展開可能に構成したことを特徴とするものである。
【０００６】
また、本発明の前記する法面用型枠は、対峙する帯網の一方の目合いを、固結材を透過可能としたことを特徴とするものである。
【０００７】
また、本発明の法面工法は、法面用型枠を展開して法面に配置し、前記法面用型枠内に配筋および固結材の吹付けを行って法面を構築する法面工法において、前記した法面用型枠を使用し、断面ハの字形に展開した型枠を設置し、前記型枠に固結材を吹付けて断面台形の法枠を構築することを特徴とするものである。
【０００８】
さらに、本発明の法面工法は、前記した法面工法において、前記法面用型枠の粗面側を上方にして型枠を設置し、型枠の粗面側から吹付けることを特徴とするものである。
【０００９】
【発明の実施の形態】
以下図面を参照しながら本発明の実施の形態について説明する。
【００１０】
＜イ＞型枠
図２に型枠２０の斜視断面図を示し、図５に型枠２０断面の簡略図を示す。
型枠２０は、対峙してハの字形に配置する一対の帯網５０、５０と、帯網５０、５０の間に長さ方向に所要の間隔をおいて配置するスペーサー６０と、より構成する。
スペーサー６０は、上部横材６１と下部横材６２の同配向に配する端部をもって、帯網５０に回転自在に連結している。
下部横材６２は、両端部に形成されるスライド空間６２１を介して連結しており、帯網５０に対して回転するのみならず、スライドすることも可能である。
【００１１】
また、スペーサー６０の横材６１、６２は、型枠２０内に配する鉄筋の上面コンクリートかぶり厚寸法だけ内側に配置して、鉄筋の位置決めを決定するのに用いてもよい。
【００１２】
＜ロ＞帯網
帯網５０は、帯網５０、５０間に充填された固結材３０が流出するのを防止し、法枠に靭性を備える目的で用いられる。
帯網５０には、たとえば金網、エキスパンドメタル、有孔板等が使用できる。また、帯網５０の材質は、鉄以外にはある程度の強度と屈曲性と保持性とを有したものであればよく、アルミニウムや銅線の金属線のものを用いるが、金属に限定されるものではなく、そのほか、亜鉛、ビニール樹脂などでコーティングされた鉄線やアルミニウム合金およびステンレス線、プラスチック線材でもよい。
【００１３】
＜ハ＞スペーサー
スペーサー６０は帯網５０の間隔保持部材であって、上下に水平に配する横材（上部横材６１と下部横材６２）を具備するもので、上部横材６１の両端部近傍に略垂直に連結して補強する二本の縦材６３、６３を配置して、井桁状に構成してもよい。
上部横材６１の長さは下部横材６２より短く、下部横材６２は上部横材６１の両端に同じ長さだけ突出するようにして配置する。
また、縦材６３は横材６１、６２より突出させて配置してもよい。
各交差部は、スポット熔接などによって固定する。
【００１４】
上部横材６１の両端部は、一回転ねじ曲げてリング状の係合部６１１が形成されており、帯網５０の縦材を内部に配して軸回転可能に取り付けてある。
【００１５】
下部横材６２の両端部にはスライド空間６２１、６２１を備え（図３）、該スライド空間６２１内に帯網５０の縦材を位置させて、帯網５０にスライドと回転とを許容する。つまり、スライド空間６２１は下部横材６２の軸方向に沿って配置されるもので、たとえば片端にフックを有する二本の鉄線を互い違いにして配置して、両者の間に縦材６３を介在させてスライド空間６２１を形成することができる。
スライド空間６２１の開口長さは、上部横材６１を鉛直に下部横材６２へ投影させた位置までは少なくとも備える。スライド空間６２１の長さは、縦材６３の位置によって決定することができる。また、別材でストッパーとなる部材を取り付けて、スライド空間６２１の長さを決定してもよい。
なお、スペーサー６０は上記構成に限定されるものではなく、その他の形態としてもよい。
【００１６】
【使用方法】
つぎに本発明に係る法面用型枠の使用方法について説明する。
【００１７】
＜イ＞型枠の搬入
型枠２０は折り畳まれた状態で施工現場に搬入する。
型枠２０が折畳まれた状態では、突出部６２２は帯網６２面に重なるようにして配置している（図４）。突出部６２２は両帯網５０、５０が離間するのに伴って、帯網５０面に対して直角方向に回転移動し外方向にとびだすが、折畳まれた状態では、型枠２０全体は薄くそしてコンパクトな状態であるため、多段積みできるなど格納性に優れるものである。
また、このような型枠２０は、従来の型枠に比して、各部パーツを現場で組立てる組立て性の悪さや、予め組みたてて搬入することによる格納性や運搬性の弊害等を除去したものである。
【００１８】
＜ロ＞型枠の展開
搬入した型枠２０を荷台から下ろす。
折畳まれた状態の型枠２０の一方の帯網５０を、他方の帯網５０から離間するように平行に移動する（図４）。
ニ帯網５０、５０の距離が離れるに連れて、スペーサー６０は帯網５０との設置角度を開拡しながら移動すると同時に、帯網６２の外側へ下部横材６２の端部（突出部６２２）を突出する。
帯網５０が平行移動する間は、スライド空間６２１内では帯網５０の縦材のスライド運動は行われず、回転運動のみが生じている。そのため、型枠２０が図４の二点鎖線で示す位置に展開すると、帯網５０は平行に配置する（図２の二点鎖線）。
【００１９】
次に、帯網５０、５０の下端を両側に引き出し、帯網５０、５０をハの字形に拡底させる。
このとき、帯網５０は上部横材６１の連通する係合部６１１を支軸として、帯網５０の面方向に、スライド空間６２１に沿って軸回転を行う。
なお、型枠２０を展開する作業は、型枠２０を任意の位置および方向に配置して行う。
【００２０】
＜ハ＞型枠の位置（図１）
予め法面上に金網などの網状体を敷設しておき、この所要の場所へハの字形を呈する型枠２０を配置してゆく。
型枠２０は、斜面に対して等高線の方向、また傾斜方向にそれぞれ配置して格子形状に配置し、各交差部を接合する。
その後、スペーサー６０に所要の本数の主筋を結束線をもって連結組立てし、さらに必要に応じてフープ筋等の補強筋を配してもよい。
鉄筋の配置位置は、上下横材６１、６２と縦材６３、６３との交差部に配置する。このとき、縦材６３を横材６１、６２から上下に突出させておくと、鉄筋の位置決めを容易に行うことができる。
次いで、スペーサー６０には地盤中に挿入したアンカー筋を定着させて型枠２０を地盤上に固定する。
【００２１】
＜ニ＞法枠の構築
然る後、該型枠２０の上部から、コンクリート等の固結材３０を充填あるいは吹付けした後、型枠２０の外側面において、帯網５０、５０の網目から流出した固結材３０をコテ仕上げするか、あるいは吹付等の手段により表面仕上げして台形断面の法枠を構築する。
格子状に配置した法枠の内部に植物種子や有機客土からなる植生材料を吹付けて植生基盤層４０を形成することによって、外部に露出する法枠部分は台形断面の上面のみと非常に小さく、景観に優れた法面となる。
【００２２】
【発明の実施の形態２】
次に、対峙する帯網５０の目合いを、一方が固結材３０を透過可能（粗目合い５０ａ）、他方が固結材３０を難透過（細目合い５０ｂ）とした形態の型枠２０を用いた法面工法について、図６を参照しながら説明する。
【００２３】
型枠２０に使用する一対の帯網５０、５０の内、粗目合い５０ａの帯網５０を法面上の高い側に設置すると共に、法面上の低い側に細目合い５０ｂを設置して横梁を構築してゆく。
法面の高い側に配する粗目合い５０ａは、固結材３０を容易に透過できる大きさであるため、法面の上方側から帯網５０の上面あるいは側面へ向けて吹きつけることができる。
一方、目合いの小さい側は、固結材３０の吹付けによって形成されるモルタル層が法面の低い側へ流出するのを抑止する。
従来のように帯網５０、５０の目合いを共に難透過で型枠２０を形成した場合、吹付けは型枠２０の上面開口部から行う必要があり、さらに法面における作業姿勢とが相俟って作業が困難であった。また、固結材３０の材料ガスによるリバウンドから固結材３０が脆くなる危険性があった。
本発明はこれらを解決するもので、吹付けの施工性がよく、また法枠の強度を確保することが可能な法面用型枠および法面工法である。
【００２４】
【発明の効果】
本発明の法面用型枠および法面工法は、以上説明したようになるから次のような効果を得ることができる。
＜イ＞本発明の法面用型枠は、帯網をハの字形に配置し、法枠断面を台形に構築することができるため、格子枠の窪部に施した緑化面が多くなり、景観に優れる。
＜ロ＞法枠が断面台形に構築されるため、法枠内に雨水が貯まり難く、排水性が良い。
＜ハ＞法面用型枠は折畳み式構造からなるため、組立てが簡単に行える施工性に優れるものである。また、小さく畳むことができるため、格納性や運搬性にも優れる。
＜ニ＞帯網の一方の目合いを粗面とし、該粗面側を法面の高い側に配置することによって、斜面上方側面からの吹きつけが容易となるため、施工性に優れ、また作業の安全面でも向上する。
【図面の簡単な説明】
【図１】本発明の法面工法により形成される法枠を示す一部切欠斜視図。
【図２】本発明の型枠の全体斜視図。
【図３】本発明の下部横材の端部拡大斜視図。
【図４】折畳んだ型枠を展開する説明図。
【図５】実施の形態１の型枠のモデル図。
【図６】実施の形態２の横梁の施工を示す説明図。
【符号の説明】
２０・・・型枠
３０・・・固結材
４０・・・植生基盤層
５０・・・帯網
６０・・・スペーサー
６１・・・上部横材
６２・・・下部横材
６３・・・縦材
６２１・・スライド空間
【図１】
2004137815.tif 000003
【図２】
2004137815.tif 000004
【図３】
2004137815.tif 000005
【図４】
2004137815.tif 000006
【図５】
2004137815.tif 000007
【図６】
2004137815.tif 000008